(57)【特許請求の範囲】
【請求項１】
制御装置を有する洗浄器本体（９）と、
洗浄器本体（９）に内蔵される水加熱タンク（５）と、
洗浄器本体（９）の外側に位置付けられる拡張型水タンク（１１）と、
水加熱タンク（５）の出口と拡張型水タンク（１１）の入口との間に接続される拡張型水タンク（１１）の送水管（３１６）と、
を備える温水洗浄便座であって、
さらに、
一端が拡張型水タンク（１１）に接続されるように拡張型水タンク（１１）の送水区域に位置付けられ、他端が水加熱タンク（５）に接続される拡張型水タンク（１１）の第一排気管（３１４）と、
一端が拡張型水タンク（１１）に接続されるように拡張型水タンク（１１）の排水区域に位置付けられ、他端が水加熱タンク（５）に接続される拡張型水タンク（１１）の第二排気管（３２２）と、
拡張型水タンク（１１）および水加熱タンク（５）に接続される拡張型水タンク（１１）の回流管（３２３）と、
拡張型水タンク（１１）および噴出システムに接続される拡張型水タンク（１１）の給水管（３２４）と、を備えることを特徴とする温水洗浄便座。
【請求項２】
回流管（３２３）は、単方向バルブ（３０８）によって拡張型水タンク（１１）および水加熱タンク（５）に接続されることを特徴とする請求項１に記載の温水洗浄便座。
【請求項３】
制御装置を有する洗浄器本体（９）と、
洗浄器本体（９）に内蔵される水加熱タンク（５）と、
洗浄器本体（９）の外側に位置付けられる拡張型水タンク（１１）と、
水加熱タンク（５）の出口と拡張型水タンク（１１）の入口との間に接続される拡張型水タンク（１１）の送水管（３１６）と、を備える温水洗浄便座であって、
さらに、
一端が拡張型水タンク（１１）に接続されるように拡張型水タンク（１１）の送水区域に位置付けられ、他端が水加熱タンク（５）に接続される拡張型水タンク（１１）の第一排気管（３１４）と、
一端が拡張型水タンク（１１）に接続されるように拡張型水タンク（１１）の排水区域に位置付けられ、他端が水加熱タンク（５）に接続される拡張型水タンク（１１）の第二排気管（３２２）と、
拡張型水タンク（１１）、水加熱タンク（５）、および噴出システムに接続される拡張型水タンク（１１）の給水回流管（３２５）と、を備えることを特徴とする温水洗浄便座。
【請求項４】
制御装置を有する洗浄器本体（９）と、
洗浄器本体（９）に内蔵される水加熱タンク（５）と、
洗浄器本体（９）の外側に位置付けられる拡張型水タンク（１１）と、
水加熱タンク（５）の出口と拡張型水タンク（１１）の入口との間に接続される拡張型水タンク（１１）の送水管（３１６）と、を備える温水洗浄便座であって、
さらに、
一端が拡張型水タンク（１１）に接続されるように拡張型水タンク（１１）の送水区域に位置付けられ、他端が水加熱タンク（５）に接続される拡張型水タンク（１１）の第一排気管（３１４）と、
拡張型水タンク（１１）、噴出システム、および水加熱タンク（５）に接続される拡張型水タンク（１１）の給水回流排気管（３０１）と、を備えることを特徴とする温水洗浄便座。
【請求項５】
水源を受ける水道管（３１８）は、送水バルブ（３１９）を経由して水加熱タンク（５）に流れ込むことを特徴とする請求項１、３、４のいずれか一項に記載の温水洗浄便座。
【請求項６】
拡張型水タンク（１１）と水加熱タンク（５）に接続される拡張型水タンク（１１）の送水管（３１６）は、循環ポンプ（３１５）を有することを特徴とする請求項５に記載の温水洗浄便座。
【請求項７】
拡張型水タンク（１１）は、チャンバーを有する便座であり、
前記便座はダンパーによって洗浄器本体（９）に装着されることを特徴とする請求項１、３、４のいずれか一項に記載の温水洗浄便座。
【請求項８】
拡張型水タンク（１１）と洗浄器本体（９）との間のパイプは、拡張水タンク（１１）の係止座（４１３）を貫通し、洗浄器本体（９）のヒンジ座（４１１）に嵌合されてチャンバーを形成することを特徴とする請求項７に記載の温水洗浄便座。
【請求項９】
水加熱タンク（５）は、排気管（３０９）に接続される排気口を有することを特徴とする請求項６に記載の温水洗浄便座。
【発明の詳細な説明】
【技術分野】
【０００１】
本発明は、温水洗浄便座に関する。
【背景技術】
【０００２】
電気で水を加熱して体を洗浄する従来の温水洗浄便座は、通常の便器に増設される。洗浄器本体は内部に水タンクを有し、水タンクは内部に加熱器、温度センサー、水位センサーまたは水圧センサー、過熱保護器などの装置を有する。水タンク内の水がユーザーによって設定された温度まで加熱された後、噴出システムは指令に従い、温水を噴出し、体を洗浄する。
【０００３】
寒い冬に十分な温水を噴出できることを保証するには、温水洗浄便座の水タンクの容量を例えば１Ｌから２Ｌにする必要がある。しかしながら、水タンク内にはさらに加熱器、温度センサー、水位または水圧センサー、および過熱保護装置が配置され、水タンク内の空間の多くを占めるため、洗浄器本体の体積が増大し、下記の欠点を抱えている。
【０００４】
１、便座の大きさは通常一定の範囲内に制限されるのに対し、洗浄器本体が大き過ぎると便座の空間の多くを占めてしまうため、ユーザーが便座に座れる空間が減少し、使用する際の感覚が不快になる。
【０００５】
２、温水洗浄便座は予め設計によって便器に配置されるのではなく、既存の通常の便器に装着される。便器の水タンクと便器との接続箇所の弧度が大き過ぎると、幅が広すぎる温水洗浄便座または弧度が小さすぎる温水洗浄便座を便器に装着することは困難である。
３、洗浄器本体の体積は水タンクの体積を制限し、温水の容量を制限する。
【０００６】
寒い冬に体が便座に座ると冷たく感じることを避けるため、既存の便座に電気加熱装置を装着することが一般的である。加熱装置は一般的に加熱器、導熱媒質および温度制御装置を含む。つまり洗浄便座に体洗浄装置の電気回路と分離した独立の回路システムを増設する必要があるため、洗浄便座の構成が複雑になり、装着およびメンテナンスの難度が増加するだけでなく、コストが増加してしまう。便座に高圧回路が内蔵されるため、安全性を配慮する必要がある。
【０００７】
それに対し、本出願人は、中国実用新案第２００９７１５５４号明細書（特許文献１）により便座全体を拡張型水タンクとする技術を開示した。上記考案により、洗浄器本体および水タンクの体積を減少することができるだけでなく、温水保存空間を増大させ、体洗浄に用いる温水によって人が座る便座を温めることができる。
【先行技術文献】
【特許文献】
【０００８】
【特許文献１】中国実用新案第２００９７１５５４号明細書
【発明の概要】
【発明が解決しようとする課題】
【０００９】
しかしながら、特許文献１の便座は、拡張型水タンクとした便座の中に気泡が大量に集結する。気泡が存在したことが原因で拡張型水タンクの容積が縮小し、便座と温水とが隔離されてしまうため、便座は熱伝導を受けることができず、依然として冷たい。また気泡は水の流動を妨害するため、拡張型水タンクの温水供給に影響してしまう。また、冷水は、送水管を経由して便座に流れ込んだ後、加熱水タンクに流れ込み、加熱されるため、便座の温度を制御することが難しい。
上記問題を解決するため、本発明の目的は、拡張型水タンクの容積を充分に利用する温水洗浄便座を提供することである。
【課題を解決するための手段】
【００１０】
上記目的を達成するため、本発明による温水洗浄便座は、制御装置を有する洗浄器本体と、拡張型水タンクと一体になった便座と、洗浄器本体に内蔵される水加熱タンクとを備える。
【００１１】
拡張型水タンクは、ヒンジによって洗浄器本体に接続される。ヒンジは、水管が通るチャンバーを有する。水加熱タンクの水路と拡張型水タンクの水路とは、二つの連結水管によって連通する。二つの連結管は、ヒンジのチャンバーを貫通する。一つの連結管は循環ポンプおよびバルブを有する。温水洗浄便座が水を噴出して体を洗浄する際、バルブは閉鎖され、送水管から流れてきた冷水が連結管を流れて水加熱タンクに流れ込み、噴水温度を低下させることを防止することができる。送水管は、一端がヒンジのチャンバーを通って水源を受け、他端が拡張型水タンクに入り込む。
【００１２】
水加熱タンクは、水位スイッチ（例えば、水位浮子スイッチを使用する）、加熱管、および排気管を有する。排気管は、一端が水加熱タンクに接続され、他端が空気中に露出される。水加熱タンク上の電気部品は、ケーブルによって洗浄器本体の制御装置に接続される。排水管は、一端が水加熱タンクに接続され、他端が噴出システムに接続される。拡張型水タンクは、底部に排気ボルトを有する。
【００１３】
水は、送水管を経由して拡張型水タンクに流れ込み、一つの連結管を経由して水加熱タンクに流れ込む。加熱管は、指令に従い、水加熱タンク内の水をユーザーが予め設定した温度まで加熱する。温水は、もう一つの連結管を経由して拡張型水タンクに流れ込み、循環水路を生成する。これにより、拡張型水タンク内の水と、水加熱タンク内の水との温度を設定した温度に維持することができる。循環ポンプは、水路の循環を速める作用を果たす。水加熱タンク内の温水は、排水管を経由して噴出システムから噴出され、体を洗浄する。
【００１４】
本発明の効果は次の通りである。
１、拡張型水タンク内の気泡を迅速に排除し、拡張型水タンクの容積を充分に利用することが可能なだけでなく、拡張型水タンクに温水を充満させ、便座の表面を暖かく保持することができる。
２、拡張型水タンクは、水加熱タンクから給水されるため、拡張型水タンクの水温を確実に制御することができる。
３、噴出システムに給水するのは水加熱タンクでなく、拡張型水タンクであるため、水加熱タンクの体積をさらに縮減することができる。
【図面の簡単な説明】
【００１５】
【図１】本発明の一実施形態による温水洗浄便座の構成を示す模式図である。
【図２】図１内のＩ部位を示す断面図である。
【図３】本発明の第１実施形態による温水洗浄便座の原理を示す模式図である。
【図４】本発明の第２実施形態による温水洗浄便座の原理を示す模式図である。
【図５】本発明の第３実施形態による温水洗浄便座の原理を示す模式図である。
【図６】本発明の第１実施形態〜第３実施形態における蓋、洗浄器本体および便座が分解された状態を示す模式図である。
【図７】本発明の第１実施形態〜第３実施形態における蓋、洗浄器本体および便座が組み立てられた状態を示す断面図である。
【図８】従来の温水洗浄便座の構成を示す模式図である。
【図９】従来の温水洗浄便座の水タンクの構成を示す模式図である。
【発明を実施するための形態】
【００１６】
以下、本発明による温水洗浄便座を図面に基づいて説明する。
以下の実施形態において、便座１１は拡張型水タンク１１に相当するが、本発明はこれに限らず、蓋４０４または別の部品を拡張型水タンクとすることにしてもよい。
【００１７】
（第１実施形態）
図３に示すように、本発明の第１実施形態による温水洗浄便座は、洗浄器本体９、水加熱タンク５、拡張型水タンク１１、拡張型水タンク１１の送水管３１６、拡張型水タンク１１の第一排気管３１４、拡張型水タンク１１の第二排気管３２２、回流管３２３、および拡張型水タンク１１の給水管３２４を備える。
【００１８】
洗浄器本体９は、制御装置を有する。水加熱タンク５は、洗浄器本体９に内蔵される。拡張型水タンク１１は洗浄器本体９の外側に位置付けられる。拡張型水タンク１１の送水管３１６は、水加熱タンク５の出口と拡張型水タンク１１の入口との間に接続される。拡張型水タンク１１の第一排気管３１４は、一端が拡張型水タンク１１に接続されるように拡張型水タンク１１の送水区域に位置付けられ、他端が水加熱タンク５に接続される。拡張型水タンク１１の第二排気管３２２は、一端が拡張型水タンク１１に接続されるように拡張型水タンク１１の排水区域に位置付けられ、他端が水加熱タンク５に接続される。回流管３２３は、拡張型水タンク１１および水加熱タンク５に接続される。拡張型水タンク１１の給水管３２４は拡張型水タンク１１および噴出システムに接続される。
【００１９】
拡張型水タンク１１の送水口および排水口に排気管を別々に配置することによって拡張型水タンク１１に集結した気泡を排除する。これにより、拡張型水タンク１１の容積を充分に利用し、拡張型水タンク１１に温水を充満させ、便座の表面を暖かく保持することができる。
【００２０】
本実施形態による温水洗浄便座の一つの特徴は次の通りである。水源を受ける水道管３１８は、送水バルブ３１９を通って水加熱タンク５に接続される。これにより、冷水は、便座を通って水加熱タンク５に流れ込み加熱されるのではなく、水加熱タンクに流れ込み加熱された後、便座に流れ込むため、便座内の水は、冷水と温水とが混合した水ではなく、加熱された温水である。従って、本実施形態による温水洗浄便座は便座の温度を確実に制御することができる。
【００２１】
本実施形態による温水洗浄便座のもう一つの特徴は次の通りである。水加熱タンク５と噴出システムとの間に給水管４を配置する先行技術に対し、本実施形態は噴出システムと拡張型水タンク１１との間に噴出システムの給水管３２４を配置するため、水加熱タンク５の体積をさらに縮減することができる。また噴出システムに温水を供給するのは水加熱タンク５ではなく、容積の比較的大きい拡張型水タンク１１であるため、水加熱タンク５の体積が小さくなってもよい。冷水の加熱さえできればよい。
【００２２】
拡張型水タンク１１と水加熱タンク５との間は回流管３２３を有する。水加熱タンク５は、単方向バルブ３０８によって水加熱タンク５内の水（加熱後の水または加熱前の水）が回流管３２３を通って拡張型水タンク１１に流れ込むことを防止する。つまり回流管３２３は単方向バルブ３０８によって拡張型水タンク１１および水加熱タンク５に接続されるため、水加熱タンク５内の加熱されていない冷水が拡張型水タンク１１内に流れ込むことを防止することができる。
【００２３】
第１実施形態において、噴出システムは、噴出連結管３０６と、噴出連結管３０６に配置された増圧ポンプ３０４と、噴出連結管３０６の一端に配置された噴水選択バルブ３０５と、噴水選択バルブ３０５に接続される噴出管３０３およびノズル３０２を有する。
【００２４】
本実施形態による温水洗浄便座は、さらに水加熱タンク５に内蔵され、冷水の加熱に用いられる加熱管３１２と、送水バルブ３１９の作動を制御する水位スイッチ３１３とを備える。
拡張型水タンク１１と水加熱タンク５との間に配置された拡張型水タンク１１の送水管３１６には、循環ポンプ３１５が設けられる。
【００２５】
本実施形態において、拡張型水タンク１１はチャンバーを有する便座であり、便座はダンパーによって洗浄器本体９に装着される。従来の技術に比べて、本実施形態による温水洗浄便座は、ダンパーによって便座を洗浄器本体９に装着し、かつ徐々に回転させることができるため、水が充満している便座が高速で落下し、衝撃を受けて破損することを防止することができる。
【００２６】
（第２実施形態）
図４に示すように、本発明の第２実施形態による温水洗浄便座は、洗浄器本体９、水加熱タンク５、拡張型水タンク１１、拡張型水タンク１１の送水管３１６、拡張型水タンク１１の第一排気管３１４、拡張型水タンク１１の第二排気管３２２、および拡張型水タンク１１の給水回流管３２５を備える。
【００２７】
洗浄器本体９は制御装置を有する。水加熱タンク５は、洗浄器本体９に内蔵される。拡張型水タンク１１は、洗浄器本体９の外側に位置付けられる。拡張型水タンク１１の送水管３１６は、水加熱タンク５の出口と拡張型水タンク１１の入口との間に接続される。拡張型水タンク１１の第一排気管３１４は、一端が拡張型水タンク１１に接続されるように拡張型水タンク１１の送水区域に位置付けられ、他端が水加熱タンク５に接続される。拡張型水タンク１１の第二排気管、即ち便座の排気管３２２は、一端が拡張型水タンク１１に接続されるように拡張型水タンク１１の排水区域に位置付けられ、他端が水加熱タンク５に接続される。拡張型水タンク１１の給水回流管３２５は、拡張型水タンク１１、水加熱タンク５、および噴出システムに接続される。
【００２８】
本実施形態において、水源を受ける水道管３１８は、送水バルブ３１９を通って水加熱タンク５に接続される。拡張型水タンク１１は、チャンバーを有する便座であり、便座は、ダンパーによって洗浄器本体９に装着される。
【００２９】
拡張型水タンク１１の送水口および排水口に排気管を別々に配置することによって拡張型水タンクに集結した気泡を排除し、拡張型水タンクの容積を充分に利用することが可能なだけでなく、拡張型水タンク１１に温水を充満させ、便座の表面を暖かく保持することができる。
【００３０】
第２実施形態においては、拡張型水タンク１１の給水管３２４および回流管３２３を一本のパイプ給水回流管３２５にすることによって、便座および洗浄器本体のヒンジのチャンバー３２０を通って拡張型水タンク１１に接続されるパイプの本数を四本まで減らす。これにより、製造コストを削減し、装着作業にかかる手間を省くことができる。
【００３１】
第２実施形態は、拡張型水タンク１１の給水管３２４および回流管３２３を一本のパイプ給水回流管３２５にする以外の部分が第１実施形態と同じである。
【００３２】
（第３実施形態）
図１および図２に示した温水洗浄便座の構成は特に図５に示した第３実施形態に適用される。図１、図２および図５に示すように、本発明の第３実施形態による温水洗浄便座は、洗浄器本体９、水加熱タンク５、拡張型水タンク１１、拡張型水タンク１１の送水管３１６、拡張型水タンク１１の第一排気管３１４、および拡張型水タンク１１の給水回流排気管３０１を備える。
【００３３】
洗浄器本体９は制御装置を有する。水加熱タンク５は、洗浄器本体９に内蔵される。拡張型水タンク１１は、洗浄器本体９の外側に位置付けられる。拡張型水タンク１１の送水管３１６は、水加熱タンク５の出口と拡張型水タンク１１の入口との間に接続される。拡張型水タンク１１の第一排気管３１４は、一端が拡張型水タンク１１に接続されるように拡張型水タンク１１の送水区域に位置付けられ、他端が水加熱タンク５に接続される。拡張型水タンク１１の給水回流排気管３０１は、拡張型水タンク１１、噴出システム、および水加熱タンク５に接続される。
【００３４】
拡張型水タンク１１の送水口および排水口に排気管を別々に配置することによって拡張型水タンクに集結した気泡を排除し、拡張型水タンクの容積を充分に利用することが可能なだけでなく、拡張型水タンク１１に温水を充満させ、便座の表面を暖かく保持することができる。
【００３５】
本実施形態において、水源を受ける水道管３１８は、送水バルブ３１９を通って水加熱タンク５に接続される。拡張型水タンク１１は、チャンバーを有する便座であり、便座は、ダンパーによって洗浄器本体９に装着される。拡張型水タンク１１および水加熱タンク５に接続される拡張型水タンク１１の送水管３１６は、循環ポンプ３１５を有する。
【００３６】
拡張型水タンク１１の給水管３２４、排気管３２２および回流管３２３を一本のパイプ給水回流排気管３０１にすることによって、便座および洗浄器本体９のヒンジのチャンバー３２０を通って拡張型水タンク１１に接続されるパイプは、拡張型水タンク１１の第一排気管３１４、拡張型水タンク１１の送水管３１６、および給水回流排気管３０１の三本まで減る。従って、製造コストを削減し、装着作業にかかる手間を省くことができる。
【００３７】
第３実施形態は、拡張型水タンク１１の給水管３２４、回流管３２３および排気管３２２を一本のパイプ給水回流排気管３０１にする以外の部分が第１実施形態と同じである。
【００３８】
第１実施形態から第３実施形態において、水加熱タンク５は、さらに水加熱タンク５の排気管３０９に接続される排気口を有するため、水加熱タンク５内の気体および拡張型水タンク１１から引き込まれた気泡を排気口から排出することができる。水加熱タンク５の排気管３０９は溢流機能を有するため、溢流排気管と称される。
【００３９】
図６および図７に示すのは、本発明の第１実施形態〜第３実施形態における蓋４０４、洗浄器本体９および拡張型水タンク１１が組み立てられた状態である。本発明の第１実施形態〜第３実施形態においては、洗浄器本体９がダンパーによって蓋４０４と、拡張水タンク１１とにダンピング接続される。図６に示すように、温水洗浄便座は、第一ダンパーおよび第二ダンパーを有する。第一ダンパーは、図６および図７に示した左側ダンパー４０２であり、第二ダンパーは、図６および図７に示した第一右側ダンパー４０７と第二右側ダンパー４１０である。説明すべきなのは、第一ダンパーおよび第二ダンパーの位置を互換することができる。
【００４０】
第３実施形態において、第一ダンパーは、拡張型水タンク１１の（左）係止座４１３（図の中に左右の二つの係止座がある）と洗浄器本体９の（右）ヒンジ座４１１（図の中に左右の二つのヒンジ座がある）とが嵌合される一つのヒンジチャンバー内の左側ダンピングのスリーブ４０３、左側ダンパー４０２、および左側ダンパーのキャップ４０１を有する。
【００４１】
多辺形の柱体を呈する左側ダンピングのスリーブ４０３は、洗浄器本体９のヒンジチャンバー内の対応する陥没溝に差し込み、洗浄器本体９に接続して固定される。旋転可能な左側ダンパー４０２は、右端のヘッド部がダンピングのスリーブ４０３の孔に差し込む。多辺形の柱体を呈する左側ダンパーのキャップ４０１は、拡張型水タンク１１のヒンジチャンバー内の対応する陥没溝に差し込み、一端の孔部が左側ダンパー４０２の左端のヘッド部と結合される。これにより、拡張型水タンク１１は、左側ダンパー４０２のダンピング作用によって洗浄器本体９に緩徐に回転することができる。
【００４２】
第３実施形態において、第二ダンパーは、拡張型水タンク１１の（右）係止座４１３と、洗浄器本体９の（右）ヒンジ座４１１とが嵌合される他の一つのヒンジチャンバー内の右側ダンピングの固定スリーブ４０６、第一右側ダンパー４０７、右側ダンピングのスリーブ４０８、右側ダンピングのキャップ４０９、および第二右側ダンパー４１０を有する。
【００４３】
右側ダンピングの固定スリーブ４０６は、右側ダンピングのスリーブ４０８に接続して固定される。右側ダンピングのスリーブ４０８は、洗浄器本体９の他の一つのヒンジに接続して固定される。第一右側ダンパー４０７は、両端のヘッド部が拡張型水タンク１１の他の一つのヒンジチャンバー内の孔および右側ダンピングのスリーブ４０８の孔に差し込む。第二右側ダンパー４１０は、両端のヘッド部が右側ダンピングのスリーブ４０８の孔および蓋の孔に差し込む。
【００４４】
つまり、第二ダンパーの二つのダンパーによって洗浄器本体９が拡張型水タンク１１と蓋４０４とにダンピング接続される。従って、本発明の第１実施形態〜第３実施形態による温水洗浄器は、水が充満している拡張型水タンク１１または蓋４０４が高速で落下し衝撃を受けて破損することを避けることができる。
【００４５】
第３実施形態による温水洗浄便座の一つの特徴は次の通りである。拡張型水タンク１１の（左）係止座４１３および洗浄器本体９の（左）ヒンジ座４１１に嵌合されるチャンバーの一部分（例えば右の部分）に、拡張水タンク１１および洗浄器本体９に接続される第一ダンパーを装着し、他の部分（例えば右の部分）に拡張型水タンク１１および洗浄器本体９との間のパイプ、例えば拡張型水タンク１１用給水回流排気管３０１、拡張型水タンク１１の第一排気管３１４、拡張型水タンク１１の送水管３１６を通す。これによって水管を露出させることを避けることができ、パイプが露出して破損しやすくなるという問題を避けることができる。
【００４６】
便座はダンパーによって洗浄器本体９に装着される。従来の技術に比べて、本実施形態による温水洗浄便座は、ダンパーによって便座を徐々に回転させることができるため、水が充満している便座が高速で落下し、衝撃を受けて破損することを防止することができる。
【００４７】
本発明の第１実施形態〜第３実施形態による温水洗浄便座の効果は次の通りである。
１、拡張型水タンク１１内の気泡を迅速に排除し、拡張型水タンク１１の容積を充分に利用することが可能なだけでなく、拡張型水タンク１１に温水を充満させ、便座の表面を暖かく保持することが可能である。
２、拡張型水タンク１１は、水加熱タンク５から給水されるため、拡張型水タンク１１の水温を確実に制御することができる。
３、噴出システムに給水するのは水加熱タンク５でなく、拡張型水タンク１１であるため、水加熱タンク１１の体積をさらに縮減することができる。
【００４８】
以上、本発明は、上記実施形態になんら限定されるものではなく、発明の趣旨を逸脱しない範囲において種々の形態で実施可能である。
【符号の説明】
【００４９】
５      ・・・水加熱タンク、
９      ・・・洗浄器本体、
１１    ・・・拡張型水タンク、
１３    ・・・ヒンジ、
１５    ・・・排気ボルト、
３０１  ・・・拡張型水タンクの給水回流排気管、
３０２  ・・・ノズル、
３０３  ・・・噴出管、
３０４  ・・・増圧ポンプ、
３０５  ・・・噴水選択バルブ、
３０６  ・・・噴出連結管、
３０８  ・・・単方向バルブ、
３０９  ・・・水加熱タンクの排気管、
３１２  ・・・加熱管、
３１３  ・・・水位スイッチ、
３１４  ・・・拡張型水タンクの第一排気管、
３１５  ・・・循環ポンプ、
３１６  ・・・拡張型水タンクの送水管、
３１７  ・・・送水スイッチ、
３１８  ・・・水道管、
３１９  ・・・送水バルブ、
３２０  ・・・便座と洗浄器本体とのヒンジチャンバー、
３２１  ・・・便座両側の最高位置に接続された排気管（気泡が存在する部位）、
３２２  ・・・拡張型水タンクの第二排気管、
３２３  ・・・回流管、
３２４  ・・・給水管、
３２５  ・・・給水回流管、
４０１  ・・・左側ダンパーのキャップ、
４０２  ・・・左側ダンパー、
４０３  ・・・左側ダンピングのスリーブ、
４０４  ・・・蓋、
４０６  ・・・右側ダンピングの固定スリーブ、
４０７  ・・・第一右側ダンパー、
４０８  ・・・右側ダンピングのスリーブ、
４０９  ・・・右側ダンピングのキャップ、
４１０  ・・・第二右側ダンパー、
４１１  ・・・洗浄器本体のヒンジ座、
４１３  ・・・拡張型水タンクの係止座、
１      ・・・温度センサー、
２      ・・・水位スイッチ、
３      ・・・排気管、
４      ・・・給水管、
６      ・・・温度制御器、
７      ・・・連結水管、
８      ・・・加熱管、
１０    ・・・連結水管、
１２    ・・・送水管、
１４    ・・・循環ポンプ、
１４１  ・・・バルブ。
【図１】
0005508424.tif 000002
【図２】
0005508424.tif 000003
【図３】
0005508424.tif 000004
【図４】
0005508424.tif 000005
【図５】
0005508424.tif 000006
【図６】
0005508424.tif 000007
【図７】
0005508424.tif 000008
【図８】
0005508424.tif 000009
【図９】
0005508424.tif 000010